(57)【要約】【課題】本発明は、持ち運び易い表示装置を提案する。【解決手段】本発明は、可搬型の表示装置において、表示パネルの外形を形成する薄型のキャビネットと、キャビネットの上部に設けられた把持部とを設けるようにした。【選択図】        図１
2004279984.tif 000002
【特許請求の範囲】
【請求項１】
可搬型の表示装置において、
表示パネルの外形を形成する薄型のキャビネットと、
上記キャビネットの上部に設けられた把持部と
を具えることを特徴とする表示装置。
【請求項２】
上記把持部は、
上記表示装置における重心の鉛直線上に設けられた
ことを特徴とする請求項１に記載の表示装置。
【請求項３】
上記把持部は、上記キャビネットの上部外枠として一体形成された
ことを特徴とする請求項１に記載の表示装置。
【請求項４】
上記把持部は、
表面が滑らかに形成された
ことを特徴とする請求項１に記載の表示装置。
【請求項５】
上記把持部は、
断面が中空に形成された
ことを特徴とする請求項１に記載の表示装置。
【発明の詳細な説明】
【０００１】
【発明の属する技術分野】
本発明は表示装置に関し、例えばテレビ番組を出力するディスプレイ装置に適用して好適なものである。
【０００２】
【従来の技術】
近年、ディスプレイ装置においては、液晶パネルの薄厚化等により全体として薄型軽量化されており、所定の把手を有する可搬型として製造することができるようになっている。
【０００３】
このような可搬型ディスプレイ装置は、正面からの体裁上、例えば背面に把手を配置するようになされている（例えば特許文献１）。
【０００４】
【特許文献１】
特開２００１−５９０１４号公報（第１図）
【０００５】
【発明が解決しようとする課題】
ところでかかる構成の可搬型ディスプレイ装置においては、把手を介して持ち上げた場合、図５に示すように、背面に配置された把手（支点）の鉛直線上に重心が移動することにより傾斜する。
【０００６】
従って、この可搬型ディスプレイ装置においては、把手を把持するユーザが持ち上げた場合にはユーザ側に傾斜するため、例えばユーザの足にぶつかる等といった弊害により、持ち運び難いという問題があった。
【０００７】
本発明は以上の点を考慮してなされたもので、持ち運び易くし得る表示装置を提案しようとするものである。
【０００８】
【課題を解決するための手段】
かかる課題を解決するため本発明においては、可搬型の表示装置において、表示パネルの外形を形成する薄型のキャビネットと、キャビネットの上部に設けられた把持部とを設けるようにした。
【０００９】
従って、この表示装置では、把持部を把持するユーザが持ち上げた場合に当該ユーザ側への傾斜を回避することができる。
【００１０】
【発明の実施の形態】
以下、図面について、本発明の一実施の形態を詳述する。
【００１１】
図１において、１は全体として可搬型ディスプレイ装置を示し、本体２と、当該本体２を支持する支持台３とによって構成されており、当該本体２に内蔵される例えばダイポールアンテナ（図示せず）を介して外部機器との間で各種情報を送受信することにより、当該情報に応じた映像及び音声を出力し得るようになされている。
【００１２】
本体２は、例えば液晶でなる薄厚の表示パネル４と、当該表示パネル４の外形を形成する略直方体形状でなる薄型のキャビネット５とを有し、当該キャビネット５は、例えばＡＢＳ樹脂（アクリロニトリルスチレン共重合樹脂）等の非導電性部材で形成されている。
【００１３】
そしてこのキャビネット５には、上部中央に湾曲部６が形成され、その湾曲部６の下側に当該湾曲に沿って複数の操作ボタンを有する操作部７が配設されている。
【００１４】
かかる構成に加えて、本体２は、キャビネット５の上部に樹脂性でなる板状の外枠把持部８を有し、当該本体２の上部には、板状の外枠把持部８と、キャビネット５の湾曲部６とによって蒲鉾状の開口部ＯＰが形成されている。
【００１５】
従って、可搬型ディスプレイ装置１においては、開口部ＯＰを介して外枠把持部８を把持することによって、持ち上げることができるようになされている。
【００１６】
この場合、可搬型ディスプレイ装置１においては、外枠としての機能と、把手としての機能とを外枠把持部８に兼用させることによって、当該外枠把持部８をキャビネット５内に溶け込むようにして設けることができるようになされている。
【００１７】
そして可搬型ディスプレイ装置１においては、正面からの体裁上、背面に配置することが常識であった把手（外枠把持部８）を、あえて、キャビネット５内に溶け込むようにして設けることによって、「持ち運ぶ機器」という商品コンセプトをアピールすることができるようになされている。
【００１８】
このような可搬型ディスプレイ装置１においては、図２に示すように、フロントキャビネット５Ａ、操作部７、外枠把持部８、スピーカ９、スピーカ付属部品９Ａ、９Ｂ、表示パネル４、ブラケット１０、マザーボード１１、電源ユニット１２、リアキャビネット５Ｂ及びリアカバー１３を順次積層するようにして嵌合されることにより形成される本体２に、ヒンジ部１４を介して支持台３を連結することによって構成される。
【００１９】
この場合、この可搬型ディスプレイ装置１では、図３に示すように、開口部ＯＰの中心及び外枠把持部８の中心がそれぞれ当該装置１の重心ＣＯＧの鉛直線ＬＮ上に位置するように選定されている。
【００２０】
従って、可搬型ディスプレイ装置１は、外枠把持部８を介して持ち上げられた場合、地面に対する水平方向への傾斜を回避することができ、これにより設置時の状態（図３（Ａ））と、持ち上げ時の状態（図３（Ｂ））とを同じ状態に保持することができるようになされている。
【００２１】
この実施の形態の場合、外枠把持部８においては、当該材料に剛性を高めるためのガラス繊維などの非導電性部材を含有させるが、当該表面をさらさらにするための所定の射出成型処理が施された結果、表面にガラス繊維が露出せず滑らかに形成されており、これにより強度を高めると共に塗装密着強度も高めることもできるのみならず、把持された際に違和感を与えないようになされている。
【００２２】
また、外枠把持部８においては、この射出成型処理が施された結果、図４に示すように、外枠把持部８における例えばＸ−Ｘ′方向（図４（Ａ））の断面（図４（Ｂ））が中空に形成されており、これにより強度を保ちつつ軽量化し得るようになされている。
【００２３】
以上の構成において、この可搬型ディスプレイ装置１は、表示パネル４の外形を形成する薄型のキャビネット５と、そのキャビネット５の上部に設けられた外枠把持部８とによって構成するようにしたことにより、外枠把持部８を把持するユーザが持ち上げた場合に当該ユーザ側への傾斜を回避することができるため、当該傾きにより例えば持ち運び中のユーザの足にぶつかる等といった弊害を防止することができ、持ち運び易くすることができる。
【００２４】
この場合、可搬型ディスプレイ装置１では、当該可搬型ディスプレイ装置１における重心ＣＯＧの鉛直線ＬＮ上に外枠把持部８が設けられたことにより、地面に対する水平方向への傾きを回避することができるため、設置時の状態（図３（Ａ））と、持ち上げ時の状態（図３（Ｂ））とを同じ状態に保持することができ、一段と持ち運び易くすることができる。
【００２５】
また可搬型ディスプレイ装置１では、キャビネット５の上部外枠として一体形成された外枠把持部８が設けられたことにより、当該外枠把持部８をキャビネット５内に溶け込むようにして設けることができるため、体裁上すっきりさせることができる。
【００２６】
以上の構成によれば、可搬型ディスプレイ装置１を、薄型のキャビネット５と、そのキャビネット５の上部に設けられた外枠把持部８とによって構成するようにしたことにより、地面に対する水平方向への傾きを回避することができ、当該傾きによる持ち運び中のユーザへの弊害を防止することができ、かくして、持ち運び易くすることができる。
【００２７】
なお上述の実施の形態においては、表示パネル４の外形を形成する薄型のキャビネットとして、図１に示したような略直方体形状の薄型のキャビネット５を本発明に適用するようにした場合について述べたが、本発明はこれに限らず、この他種々の構成でなる薄型のキャビネットを本発明に適用することができる。
【００２８】
また上述の実施の形態においては、キャビネット５の上部に設けられた把持部として、図４について説明したような板状の外枠把持部８を本発明に適用するようにした場合について述べたが、本発明はこれに限らず、この他種々の構成でなる把持部を本発明に適用することができる。
【００２９】
さらに上述の実施の形態においては、外枠把持部８をキャビネット５に嵌合するようにした場合について述べたが、本発明はこれに限らず、当該外枠把持部８とキャビネット５とを一体形成するようにしても良い。この場合、よりキャビネット５と実質上同化した把手を形成するのみならず、この把手部分における強度を一体形成する分だけ高めることができる。
【００３０】
さらに上述の実施の形態においては、キャビネット５の上部に１つの外枠把持部８を設けるようにした場合について述べたが、本発明はこれに限らず、２以上の外枠把持部８を設けるようにしても良い。これにより、例えば本体２が回転自在であった場合に、表示パネル４が縦型の状態又は横型の状態いずれの状態であっても持ち運び易くすることができる。
【００３１】
さらに上述の実施の形態においては、板状の外枠把持部８とキャビネット５の湾曲部６とによって蒲鉾状の開口部ＯＰを形成するようにした場合について述べたが、本発明はこれに限らず、この他種々の形状でなる外枠把持部８とキャビネット５とによってこの他種々の形状でなる開口部ＯＰを形成することができる。
【００３２】
さらに上述の実施の形態においては、図１及び図２に示したような構成でなる本体２を本発明に適用するようにした場合について述べたが、本発明はこれに限らず、この他種々の構成でなる本体をを本発明に適用することができる。
【００３３】
さらに上述の実施の形態においては、本発明を可搬型ディスプレイ装置１に適用するようにした場合について述べたが、本発明はこれに限らず、例えばパーソナルコンピュータのディスプレイ等、この他種々の可搬型の表示装置に本発明を幅広く適用することができる。
【００３４】
【発明の効果】
上述のように本発明によれば、可搬型の表示装置において、表示パネルの外形を形成する薄型のキャビネットと、キャビネットの上部に設けられた把持部とを設けるようにしたことにより、把持部を把持するユーザが持ち上げた場合に当該ユーザ側への傾斜を回避することができ、当該傾斜による持ち運び中のユーザへの弊害を防止することができ、かくして、持ち運び易くすることができる。
【００３５】
【図面の簡単な説明】
【図１】本発明を適用した可搬型ディスプレイ装置の外観構成を示す略線図である。
【図２】可搬型ディスプレイ装置の内部構成を示す略線図である。
【図３】設置時と、持ち上げ時における可搬型ディスプレイ装置の状態を示す略線図である。
【図４】把持部の構成を示す略線図である。
【図５】従来における設置時と、持ち上げ時における可搬型ディスプレイ装置の状態を示す略線図である。
【符号の説明】
１……可搬型ディスプレイ装置、２……本体、４……液晶表パネル、５……キャビネット、６……湾曲部、８……外枠把持部、ＯＰ……開口部。
【図１】
2004279984.tif 000003
【図２】
2004279984.tif 000004
【図３】
2004279984.tif 000005
【図４】
2004279984.tif 000006
【図５】
2004279984.tif 000007